(57)【要約】      （修正有）【課題】就寝時の頭部や顔面の周囲温度を維持することができる睡眠補助具を提供する。【解決手段】長手方向の端部に係止部（固定ブロック１１）を備える第１部材（基台１０）と、曲折形状をなすように両端を係止部に係止する第２部材（アーチ部材２０）と、第１部材と第２部材により形成される骨組みを覆う第３部材（カバー部材３０）と、を有し、骨組みは、複数の第２部材を有して形成されていて、少なくとも１つの第２部材は、両端が係止部に固定され、他の第２部材は、係止部を中心とする円弧状に回動するように両端が保持されていて、係止部に両端が固定されている第２部材から最も離れた位置に保持される第２部材の回動角度は、９０度よりも大きい、睡眠補助具による。【選択図】図１
0003198588.tif 000002
【実用新案登録請求の範囲】
【請求項１】
長手方向の端部に係止部を備える第１部材と、
曲折形状をなすように両端を前記係止部に係止する第２部材と、
前記第１部材と前記第２部材により形成される骨組みを覆う第３部材と、を有し、
前記骨組みは、複数の前記第２部材を有して形成されていて、
少なくとも１つの前記第２部材は、両端が前記係止部に固定され、
他の前記第２部材は、前記係止部を中心とする円弧状に回動するように両端が保持されていて、
前記係止部に両端が固定されている前記第２部材から最も離れた位置に保持される前記第２部材の回動角度は、９０度よりも大きい、
ことを特徴とする睡眠補助具。
【請求項２】
複数の前記第２部材の隣接するもの同士をつなげる第４部材を有し、
前記係止部に両端が固定されている前記第２部材以外は、隣接する前記第２部材と連動して回動する、
請求項１記載の睡眠補助具。
【請求項３】
前記第３部材は、布製の部材である、
請求項１または２記載の睡眠補助具。
【考案の詳細な説明】
【技術分野】
【０００１】
本考案は、就寝時に頭部や顔面の周囲温度を維持することができる睡眠補助具に関するものである。
【背景技術】
【０００２】
就寝時は頭寒足熱状態が健康に良いとされている。そのため、顔面や頭部は布団などをかけずに露出した状態が多い。しかし、季節によっては夜間の気温は低く、また、空気も乾燥するので、顔面や頭部を露出した状態の就寝を続けると、頭部等が冷え過ぎたり、肌が乾燥したりすることがある。
【０００３】
頭部や顔面が冷えすぎると、寝付きが悪くなる、起床しても疲労感が残る、顔から首や肩にかけて血行不良が生ずる、顔面の皮膚の血行不良によるコリや、肌の乾燥により皮膚の老化を進行し易やすくなる、などの悪影響が出やすかった。
【０００４】
上に示したような悪影響を防ぐために、就寝時に頭部周囲を覆うフード状カバーが知られている（例えば、特許文献１を参照）。
【先行技術文献】
【特許文献】
【０００５】
【特許文献１】実用新案登録第３１１７５９９号明細書
【０００６】
従来のフード状カバーは、顔面の一部が露出した状態になる。また、特に首周りや肩周りはカバーされない。したがって、顔や首、肩の体温低下を防ぐことはできない。また、顔とカバーとの間が狭いので、圧迫感を感じる可能性もあり、より良い睡眠を得るためには適さない。
【考案の概要】
【考案が解決しようとする課題】
【０００７】
本考案は、自然に発散される熱を用いて、就寝時の頭部や顔面の周囲の温度環境等を維持することができる睡眠補助具を提供することを目的とする。
【課題を解決するための手段】
【０００８】
本考案は、睡眠補助具に関するものであって、長手方向の端部に係止部を備える第１部材と、曲折形状をなすように両端を前記係止部に係止する第２部材と、前記第１部材と前記第２部材により形成される骨組みを覆う第３部材と、を有し、前記骨組みは、複数の前記第２部材を有して形成されていて、少なくとも１つの前記第２部材は、両端が前記係止部に固定され、他の前記第２部材は、前記係止部を中心とする円弧状に回動するように両端が保持されていて、前記係止部に両端が固定されている前記第２部材から最も離れた位置に保持される前記第２部材の回動角度は、９０度よりも大きい、ことを特徴とする。
【考案の効果】
【０００９】
本考案によれば、自然に発散される熱を用いて、就寝時の頭部や顔面の周囲の温度環境等を維持することができる。
【図面の簡単な説明】
【００１０】
【図１】本発明に係る睡眠補助具の外観の例を示す斜視図である。
【図２】上記睡眠補助具の使用状態の例を示す縦断面図である。
【図３】上記睡眠補助具の未使用時における折りたたみ状態の例を示す側面図である。
【図４】上記睡眠補助具と枕の位置関係の例を示す斜視図である。
【考案を実施するための形態】
【００１１】
●睡眠補助具の構造
以下、本発明に係る睡眠補助具の実施形態について説明する。図１に示すように、睡眠補助具の一例であるフェイスカバー１００は、第１部材である基台１０と、第２部材であるアーチ部材２０と、第３部材であるカバー部材３０と、第４部材である連結部材４０と、を備えている。
【００１２】
基台１０は、フェイスカバー１００の基礎を構成する部材であって、使用時に設置面に接する面と、後述するアーチ部材２０を保持する面と、を有してなる。図１に示すように、基台１０は、長尺の薄板であって、長さ方向の端部に係止部である固定ブロック１１を備えている。この固定ブロック１１によってアーチ部材２０は基台１０に取り付けられる。フェイスカバー１００は、就寝時に横臥した状態で頭部と顔、およびその周囲を覆うドーム状のカバーである。
【００１３】
フェイスカバー１００を使用するときは、図４に示すように、枕５０を基台１０の上に載せる。これによって基台１０は上方向から押さえ込まれて、フェイスカバー１００が固定される。
【００１４】
図１における基台１０は、幅が狭く薄い板状の部材であるが、基台１０の外形はこれに限るものではない。例えば、基台１０に固定されるアーチ部材２０が描く半円形状に沿った外形を有する薄板であってもよい。なお、基台１０の素材は、アーチ部材２０を固定することができる強度を備え、かつ、容易に設置できる程度の重量であることが望ましく、例えば硬質の樹脂素材からなる。
【００１５】
固定ブロック１１は、アーチ部材２０を半円形の弓形状にして基台１０に係止するための部材である。例えば、アーチ部材２０の両端に孔を形成しておき、固定ブロック１１の外側に形成されている穴１２に締結部材を挿入し、この締結部材にアーチ部材２０の孔を引っ掛けることで、アーチ部材２０を基台１０に取り付ける。穴１２に挿入される締結部材は、樹脂製のネジでもよいし、樹脂製のピンでもよい。なお、固定ブロック１１は、基台１０と同じ素材を用いて形成してもよいし、より強度の高い素材（例えば金属）を用いて形成してもよい。また、固定ブロック１１は、基台１０の長手方向端部に別体として取り付けられるものでもよいし、基台１０の端部を折り曲げて形成してもよい。
【００１６】
固定ブロック１１には、複数のアーチ部材２０が係止されるが、そのうちの１つは、フェイスカバー１００を設置するときに設置面に接して動かないようにする。そのため、固定されるアーチ部材２０は、両端の孔を締結部材に引っ掛けた上で、固定ブロック１１の側面に接着する。固定されるアーチ部材２０以外のアーチ部材２０は、固定ブロック１１の締結部材を中心として回動できるようになっている。
【００１７】
すなわち、固定されているもの以外のアーチ部材２０は、固定ブロック１１を中心として設置面と平行な状態から円弧を描きながら基台１０の上方に向かって立ち上がるように回動できるようになっていて、所定の位置で止まるようになっている。
【００１８】
図１においてフェイスカバー１００は、基台１０と４本のアーチ部材２０とを組み合わせたドーム状の骨組みを有している。アーチ部材２０は、ビニール素材やプラスチック素材からなる。
【００１９】
隣接するアーチ部材２０は、離散した状態を維持して止まるように構成されている。隣接しているアーチ部材２０同士は、それぞれのアーチ形状の円周長の中点部分が連結部材４０によって連結されている。アーチ部材２０の１つを上に示したように回動させると、両端が固定されているアーチ部材２０以外のアーチ部材２０は、連結部材４０によって隣接する他のアーチ部材２０を引っ張り上げて連動する。これによって、フェイスカバー１００は、図１に示すようなドーム形状の骨組みを形成する。連結部材４０は、紐状の部材であって、後述する折りたたみ時に邪魔にならないものであって、隣接するアーチ部材２０を引っ張ることができる程度の強度を有するものであればよい。
【００２０】
フェイスカバー１００は、ドーム形状の骨組みの外側に、カバー部材３０が被せられている。基台１０とアーチ部材２０とカバー部材３０によって内部空間Ｓが形成される。内部空間Ｓは、外気と遮断される状態になっている。カバー部材３０は、隣接するアーチ部材２０の間の隙間を塞ぎ、かつ、ある程度の通気性を備える素材であって、たとえば、カバー部材３０は、毛布、フェイスタオル、などの布製の部材である。
【００２１】
●睡眠保持具の使用方法
次に、フェイスカバー１００の使用方法について説明する。図２は、フェイスカバー１００の使用状態を示す縦断面図である。基台１０、アーチ部材２０及びカバー部材３０によって形成された内部空間Ｓに利用者Ｐの頭部および顔面が収まるようになっている。内部空間Ｓは、利用者Ｐが息苦しくないように、十分な高さと奥行きを有している。
【００２２】
なお、アーチ部材２０のうち、設置面に接している固定アーチ部材２０１と、このアーチ部材２０から最も離れている可動アーチ部材２０２が形成する角度は、９０度よりも大きくなる。言い換えると、可動アーチ部材２０２の回動角度は９０度よりも大きい。
【００２３】
すなわち、基台１０の設置面の法線のうち、可動アーチ部材２０２の円弧長の中点を通過する法線は、利用者Ｐの首よりも体側にある。このように、フェイスカバー１００は側面からみたときに、可動アーチ部材２０２がオーバーハング構造をなしているので、カバー部材３０の端部が利用者Ｐの顔に引っかかることを防ぎ、かつ、十分な広さの内部空間Ｓを形成することができる。また、内部空間Ｓが外気と連通する量を少なくすることで、温度や湿度を適切な状態で保持することができる。
【００２４】
利用者Ｐが使用する枕５０を基台１０の上に設置して、利用者Ｐが就寝時の姿勢をとると、利用者Ｐの頭部と顔面はフェイスカバー１００が形成する内部空間Ｓに収まって、カバー部材３０の端が利用者Ｐの肩の周囲に掛かる状態になる。就寝時に利用者Ｐの頭部や顔面から放出される熱は内部空間Ｓに滞留するので、利用者Ｐの頭部や顔面の周囲の気温は維持される。
【００２５】
また、利用者Ｐの呼気に含まれる水蒸気が外気へ発散することを防ぐので、内部空間Ｓの湿度を保つことができる。
【００２６】
また、カバー部材３０の端が利用者Ｐの首や肩も覆うようになっているので、冬季などであっても首および肩の冷えを防ぐことができる。また、寝返りなどによって姿勢が変化しても、肩や首が低温の外気に晒されることはないので、快適な睡眠を継続することができる。
【００２７】
また、フェイスカバー１００の保湿効果によって、就寝時に寝室の温度を維持するためのエアコンの使用を減らすことができる。これによって、消費電力の削減効果も得られる。
【００２８】
また、フェイスカバー１００によって就寝時には、利用者Ｐの頭部や顔面周囲の空気と外気はある程度遮断される。これによって、ウイルスの侵入を防ぐことができ、健康維持効果も見込める。
【００２９】
また、就寝時に地震が起きて周囲の物体が頭部に向けて倒れても、フェイスカバー１００によって保護され、就寝時の安全性を高めることもできる。
【００３０】
またフェイスカバー１００によって就寝時の肌の露出部分をカバーすることができる。ので、虫除け効果も得られる。
【００３１】
●睡眠保持具の折りたたみ構造
次に、フェイスカバー１００の未使用時の状態について説明する。図３に示すように、フェイスカバー１００は、カバー部材３０を外して、隣接するアーチ部材２０の隙間を狭めて折りたたむことができる。折りたたんだ状態のフェイスカバー１００は、図３に示すように側面から見たときに数本のアーチ部材２０の幅に相当する厚さになる。したがって、日中などの未使用時には折りたたんで家具の隙間などに立てかけておくことができるので収納性に優れている。また、使用時には、アーチ部材２０を拡げてカバー部材３０を掛ければすぐに使用することができ、利便性にすぐれている。
【００３２】
なお、固定アーチ部材２０１とその他のアーチ部材２０の長さ寸法を異なるものにし、折りたたんだアーチ部材２０が全体的に互いに重ならない構造にすれば、折りたたみ時のフェイスカバー１００の厚さを１つのアーチ部材２０の幅に相当する厚さにできる。
【００３３】
例えば、固定アーチ部材２０１の長さ（円弧長）を一番短くしておき、これに隣接するアーチ部材２０の円弧長を次に長くし、さらにこれ隣接するアーチ部材２０の円弧長をさらに長くする。可動アーチ部材２０２の円弧長を最も長いものにする。このように、隣接するアーチ部材２０の円弧長を異なる長さにして組み合わせることで、フェイスカバー１００の折りたたみ時の厚さを薄くすることができる。
【００３４】
以上説明したフェイスカバー１００によれば、未使用時には折りたたんで小型にすることができ、使用時のみドーム状にすることができる。しかも、折りたたみ状態からドーム状への変形は容易であって、その逆も容易に行うことができる。
【００３５】
なお、アーチ部材２０を開いてドーム状にした後に、アーチ部材２０がそれぞれ重力の影響で折りたたみ位置に戻らないようにするため、図４に示すような心張り棒２０３を固定アーチ部材２０１と可動アーチ部材２０２の間に介在させてもよい。
【００３６】
心張り棒２０３は、可動アーチ部材２０２が固定アーチ部材２０１側に倒れないように支える部材であって、可動アーチ部材２０２をドーム状に開いた後に、取り付ける構造でもよい。また心張り棒２０３は、予め固定アーチ部材２０１と可動アーチ部材２０２に取り付けておき、アーチ部材２０の回動に合わせて動き、可動アーチ部材２０２が使用時の位置に至ったときに固定する構造でもよい。
【００３７】
心張り棒２０３は、一方の端部を固定アーチ部材２０１に固定し、他方の端部を可動アーチ部材２０２に固定する。また、固定アーチ部材２０１と可動アーチ部材２０２の間の各アーチ部材２０に、心張り棒２０３が接触するようにしてもよいし、各アーチ部材２０に係止できるようにしてもよい。
【００３８】
また、アーチ部材２０の間にカバー部材３０を取り付けてしまい、蛇腹状にしてもよい。
【符号の説明】
【００３９】
１０    基台
１１    固定ブロック
２０    アーチ部材
３０    カバー部材
４０    連結部材
５０    枕
１００  フェイスカバー
２０１  固定アーチ部材
２０２  可動アーチ部材
２０３  心張り棒
【図１】
0003198588.tif 000003
【図２】
0003198588.tif 000004
【図３】
0003198588.tif 000005
【図４】
0003198588.tif 000006